(57)【要約】【課題】制御手段が故障したり、制御手段と伝送手段の通信が途絶えたとしても、確実に火災警報を行ったり端末機器の制御を行うことができる火災受信機を提供する。【解決手段】端末機器から状態情報を読み込んで収集し、収集した状態情報に火災情報が含まれているかどうかを判別する伝送手段ＦＡ１と、伝送手段ＦＡ１に火災情報の有無を問い合わせ、その問い合わせにより火災情報を受けたときには、火災情報を発した端末機器と関連づけられた被制御機器を動作させる制御信号を伝送手段ＦＡ１に通知する制御手段ＦＡ２とを備え、伝送手段ＦＡ１は、状態情報に火災情報が含まれているときに、制御手段ＦＡ２からの火災情報の有無の問い合わせが所定時間なかった場合には、予め設定された被制御機器の地区ベルの全てを鳴動させる。【選択図】図２
2014016681.tif 000002
【特許請求の範囲】
【請求項１】
端末機器から状態情報を読み込んで収集し、収集した状態情報に火災情報が含まれているかどうかを判別する伝送手段と、
前記伝送手段に火災情報の有無を問い合わせ、その問い合わせにより火災情報を受けたときには、火災情報を発した端末機器と関連づけられた被制御機器を動作させる制御信号を前記伝送手段に通知する制御手段とを備え、
前記伝送手段は、状態情報に火災情報が含まれているときに、前記制御手段からの火災情報の有無の問い合わせが所定時間なかった場合には、予め設定された被制御機器の全て、あるいは予め設定された被制御機器のうち火災情報を発した端末機器と関連づけられた被制御機器を動作させることを特徴とする火災受信機。
【請求項２】
前記制御手段は、前記端末機器の情報及び前記被制御機器の制御情報がデータとして格納された記憶部を有し、電源が投入あるいは所定のスイッチが操作されたときに、前記記憶部に格納されたデータを前記伝送手段に転送して設定することを特徴とする請求項１記載の火災受信機。
【請求項３】
前記被制御機器は、地区ベルであることを特徴とする請求項１又は２記載の火災受信機。
【発明の詳細な説明】
【技術分野】
【０００１】
本発明は、火災を監視する火災受信機に関するものである。
【背景技術】
【０００２】
火災感知器等の複数の端末機器が一対の電源兼信号線を介して火災受信機に接続されて構成された火災報知設備がある。複数の端末機器には、それぞれを識別するためのアドレスが割り当てられている。火災受信機は、アドレスに基づき端末機器を順次呼び出すとともに、呼び出された端末機器から返送される情報を受信して、火災発生の有無や端末機器の状態等の情報を収集している（例えば、特許文献１参照）。
前述の火災受信機においては、伝送部が自律的に端末機器と通信を行って端末機器の状態情報を収集し、その状態情報の中に火災発生を発見すると制御部に通知し、通知を受け取った制御部は、火災発生の情報を報知するために表示操作部に火災情報を表示させる制御を行うとともに、データベースに従い地区ベルや防火戸等の被制御機器を作動させるために伝送部に制御信号を伝送していた。
【先行技術文献】
【特許文献】
【０００３】
【特許文献１】特開２００２−２８８７５１号公報（図２）
【発明の概要】
【発明が解決しようとする課題】
【０００４】
しかしながら、上記の火災受信機では、制御部が故障したり、制御部と伝送部の通信が途絶えた場合には、火災警報を行ったり端末機器の制御を全くできなくなるという課題があった。
【０００５】
本発明は、前述のような課題を解決するためになされたもので、制御手段が故障したり、制御手段と伝送手段の通信が途絶えたとしても、確実に火災警報を行うことができる火災受信機を提供することを目的とする。
【課題を解決するための手段】
【０００６】
本発明に係る火災受信機は、端末機器から状態情報を読み込んで収集し、収集した状態情報に火災情報が含まれているかどうかを判別する伝送手段と、伝送手段に火災情報の有無を問い合わせ、その問い合わせにより火災情報を受けたときには、火災情報を発した端末機器と関連づけられた被制御機器を動作させる制御信号を伝送手段に通知する制御手段とを備え、伝送手段は、状態情報に火災情報が含まれているときに、制御手段からの火災情報の有無の問い合わせが所定時間なかった場合には、予め設定された被制御機器の全て、あるいは予め設定された被制御機器のうち火災情報を発した端末機器と関連づけられた被制御機器を動作させる。
【発明の効果】
【０００７】
本発明によれば、状態情報に火災情報が含まれているときに、制御手段からの火災情報の有無の問い合わせが所定時間なかった場合には、予め設定された被制御機器の全て、あるいは予め設定された被制御機器のうち火災情報を発した端末機器と関連づけられた被制御機器を動作させるようにしているので、制御手段の故障や、制御手段と伝送手段との間の通信の不具合で、火災の発生を在館者に報知できなかったということがなくなり、安全性が向上する。
【図面の簡単な説明】
【０００８】
【図１】実施の形態に係る火災受信機を含む火災報知設備のシステムを示す全体構成図。
【図２】実施の形態に係る火災受信機の構成を示すブロック図。
【図３】実施の形態に係る火災受信機のデータベースのデータ構成を示す図。
【発明を実施するための形態】
【０００９】
図１は実施の形態に係る火災受信機を含む火災報知設備のシステムを示す全体構成図、図２は実施の形態に係る火災受信機の構成を示すブロック図、図３は実施の形態に係る火災受信機のデータベースのデータ構成を示す図である。
火災受信機ＦＡは、図１に示すように、電源兼信号線ＳＧ（以下、「信号線ＳＧ」と呼ぶ）を介して、光電式アナログ感知器ＳＥ１１、熱アナログ感知器ＳＥ１２、アドレッサブル発信機ＳＥ１３、地区ベル用中継器Ｂ１１、防排煙制御用中継器Ｄ１１などの各端末機器が系統毎に接続されている。なお、図１では、系統を３つとしているが、これに限定されるものではない。
【００１０】
光電式アナログ感知器ＳＥ１１は、検出した煙の濃度に応じたアナログ値を信号により火災受信機ＦＡに送信する。熱アナログ感知器ＳＥ１２は、検出した周囲温度に基づくアナログ値を信号により火災受信機ＦＡに送信する。アドレッサブル発信機ＳＥ１３は、火災の発見者が手動操作する押しボタンを備え、押しボタンがオンされたときに火災信号を火災受信機ＦＡに送信する。
【００１１】
地区ベル用中継器Ｂ１１には、例えば４個の地区ベルＢ１１１、Ｂ１１２、Ｂ１１３、Ｂ１１４が被制御機器として接続されている。防排煙制御用中継器Ｄ１１には、防排煙機器としての防火戸Ｄ１１１、排煙機Ｄ１１２、シャッタＤ１１３、及びたれ壁Ｄ１１４が被制御機器として接続されている。なお、図１では、地区ベル用中継器Ｂ１１に４個の地区ベルＢ１１１〜Ｂ１１４が、防排煙制御用中継器Ｄ１１に４種類の防排煙機器が１台ずつ接続されているが、これに限定されるものではない。
【００１２】
火災受信機ＦＡと端末機器は、信号線ＳＧの電圧を変動させ、ハイレベル電圧とローレベル電圧の組み合わせのパルス信号で通信する。
【００１３】
次に、火災受信機ＦＡの構成について、図２を用いて説明する。
火災受信機ＦＡは、系統毎に設けられた伝送手段ＦＡ１と、制御手段ＦＡ２と、表示操作部ＦＡ３と、データベース作成装置１００が着脱自在に接続されるインターフェース部ＦＡ４とを備えている。伝送手段ＦＡ１は、伝送制御部ＦＡ１１と、信号線ＳＧを介して各種の端末機器が接続された端末機器通信部ＦＡ１２と、伝送通信部ＦＡ１３と、伝送記憶部ＦＡ１４とにより構成されている。制御手段ＦＡ２は、制御部ＦＡ２１と、伝送通信部ＦＡ１３との間で信号の送受信をする通信部ＦＡ２２と、記憶部ＦＡ２３とにより構成されている。
【００１４】
伝送手段ＦＡ１は、光電式アナログ感知器ＳＥ１１、熱アナログ感知器ＳＥ１２などの端末機器と通信を行っている。詳細には、伝送制御部ＦＡ１１は、伝送記憶部ＦＡ１４に予め格納されたデータベースに従って、端末機器に状態情報要求命令を端末機器通信部ＦＡ１２を介して送信する。一方、各端末機器は、受信した状態情報要求命令に対して、自己のアドレスに応じてタイミングをはかり、状態情報を端末機器通信部ＦＡ１２に送信する。端末機器通信部ＦＡ１２は、受信した端末機器の状態情報を伝送制御部ＦＡ１１に通知する。伝送制御部ＦＡ１１は、全端末機器の状態情報を伝送記憶部ＦＡ１４に一時的に保存し、状態情報に火災情報が含まれているかどうかを判別し、状態情報に火災情報が含まれていた場合には、その火災情報を発した端末機器の情報（例えばアドレス）を伝送記憶部ＦＡ１４に保存する。
【００１５】
また、伝送手段ＦＡ１は、制御手段ＦＡ２と通信を行っている。詳細には、伝送制御部ＦＡ１１は、制御手段ＦＡ２から火災情報の有無の問い合わせ信号を伝送通信部ＦＡ１３を介して受けたときに、判別結果を伝送通信部ＦＡ１３を介して通信部ＦＡ２２に送信する。即ち、伝送制御部ＦＡ１１は、各端末機器の状態情報に火災情報が含まれていない場合にはその旨を通知し、火災情報を発した端末機器のアドレスが有った場合には伝送記憶部ＦＡ１４に保存されているそのアドレスを通知する。
【００１６】
制御部ＦＡ２１は、通信部ＦＡ２２を介し伝送通信部ＦＡ１３に火災情報の有無の問い合わせ信号を送信し、火災情報を発した端末機器の情報を通信部ＦＡ２２を介して受けたときには、記憶部ＦＡ２３に格納されたデータベースに従って、火災情報を発した端末機器のアドレス（あるいは系統番号およびアドレス）に関連づけられた被制御機器を特定する。そして、制御部ＦＡ２１は、特定した被制御機器を動作させる制御信号を通信部ＦＡ２２を介して該当する系統の伝送通信部ＦＡ１３に送信する。伝送通信部ＦＡ１３は、受信した制御信号を伝送制御部ＦＡ１１に通知する。通知を受けた伝送制御部ＦＡ１１は、端末機器通信部ＦＡ１２を介して、地区ベル用中継器Ｂ１１及び防排煙制御用中継器Ｄ１１に制御信号を送信して、被制御機器を動作させて火災を報知したり、火災の拡大を防いだりする。
通常時には、前記のように制御手段ＦＡ２で被制御機器の制御を行うことで、例えば系統１の伝送手段ＦＡ１に接続されている端末機器が火災情報を発したときに、系統２の伝送手段ＦＡ１に接続されている端末機器に制御信号を送信して被制御機器を動作させたり、複数の系統で火災情報が発せられたときに被制御機器を動作させたりといった、複数の伝送手段ＦＡ１にまたがる複雑な制御を行うことができる。
【００１７】
一方、前述した伝送制御部ＦＡ１１は、制御部ＦＡ２１からの問い合わせ信号が所定時間受信されない状態で、端末機器から収集した状態情報に火災情報が含まれているとき、あるいは状態情報に火災情報が含まれている状態で、問い合わせ信号が所定時間受信されないときには、記憶部ＦＡ２３に格納されたデータベースに従って、全ての地区ベルＢ１１１〜Ｂ１１４を鳴動させる制御信号を端末機器通信部ＦＡ１２を介して地区ベル用中継器Ｂ１１に送信する。
【００１８】
表示操作部ＦＡ３は、端末機器が感知した火災に関する情報や各端末機器の状態等を表示する画面やランプなどの表示部と、火災受信機ＦＡや各端末機器に対する操作を行うためのタッチパネルやボタンなどの操作部とで構成されている。
【００１９】
次に、前述のデータベースの構成について、図３を用いて説明する。
データベースは、図１に示す系統毎にパソコンなどのデータベース作成装置１００により作成され、インターフェース部ＦＡ４を介して制御手段ＦＡ２の記憶部ＦＡ２３に格納されている。また、記憶部ＦＡ２３に格納された系統毎のデータベースは、制御部ＦＡ２１により各系統の伝送記憶部ＦＡ１４にそれぞれ格納される。データベースの転送は、火災受信機ＦＡに電源が投入されたときに行われる。
【００２０】
データベースは、例えば図３に示すように、「系統」、「アドレス番号」、「端末機器の種別」、「通番」、「被制御機器の種別」、「連動ゾーン」の各データにより構成されている。
「系統」は、火災受信機ＦＡに設けられた伝送手段ＦＡ１に対応して設定されている。
「アドレス番号」は、各端末機器と通信する際に、通信すべき端末機器を特定できるように、各端末機器に付与された番号である。
「端末機器の種別」は、端末機器の種類である。
「被制御機器の種別」は、端末機器によって制御され動作する被制御機器の種類である。
【００２１】
「通番」は、各中継器に接続された被制御機器の何れを制御するかを特定するために、被制御機器に対応して付与された番号である。
「連動ゾーン」は、光電式アナログ感知器、熱アナログ感知器あるいはアドレッサブル発信機の何れかの端末機器が作動した場合に、作動した端末機器に連動させる被制御機器を識別するための番号である。
【００２２】
前記のように構成されたシステムにおいて、火災受信機ＦＡの動作について説明する。
火災受信機ＦＡの伝送手段ＦＡ１は、光電式アナログ感知器ＳＥ１１、熱アナログ感知器ＳＥ１２及びアドレッサブル発信機ＳＥ１３の各端末機器に状態情報要求命令を送信する。
【００２３】
伝送手段ＦＡ１は、状態情報要求命令の送信により、各端末機器から状態情報が受信されると、状態情報に火災情報（所定の閾値を超える検出情報）が含まれているかどうかを判別する。伝送手段ＦＡ１は、状態情報に火災情報が含まれていた場合には、その火災情報を発した端末機器の情報（アドレス）を保存する。
【００２４】
そして、伝送手段ＦＡ１は、制御手段ＦＡ２からの火災情報の有無の問い合わせ信号を受けたときには、制御手段ＦＡ２に判別結果を通知する。
【００２５】
制御手段ＦＡ２は、火災情報の有無の問い合わせ信号の送信により、火災情報を発した端末機器のアドレスを伝送手段ＦＡ１から受けたときには、データベースに従って、火災情報を発した端末機器のエリアを表示操作部ＦＡ３の画面に表示すると共に、火災情報を発した端末機器に関連づけられた被制御機器を特定する。
【００２６】
例えば、制御手段ＦＡ２は、図３に示すように、火災情報を発した端末機器のアドレスが「ＡＤ１」の場合、先ず、その端末機器（光電式アナログ感知器）の連動ゾーンと同一の連動ゾーンが設定されている地区ベルＢ１１１、Ｂ１１２の各被制御機器を特定する。そして、制御手段ＦＡ２は、特定した被制御機器を動作させる制御信号を伝送手段ＦＡ１を介して、地区ベル用中継器Ｂ１１に送信し、地区ベルＢ１１１、Ｂ１１２を鳴動させる。
【００２７】
また、制御手段ＦＡ２は、火災発生時には、火災情報を発した端末機器（ＡＤ１）の連動ゾーンと同一連動ゾーンが設定されている防火戸Ｄ１１１、シャッタＤ１１３の各被制御機器を特定し、特定した被制御機器を動作させる制御信号を伝送手段ＦＡ１を介して、防排煙制御用中継器Ｄ１１に送信し、防火戸Ｄ１１１とシャッタＤ１１３を動作させて延焼を防ぐ。
【００２８】
一方、伝送手段ＦＡ１は、火災情報を発した端末機器のアドレス（ＡＤ１）を保持しているときに、所定時間を経過しても制御手段ＦＡ２からの問い合わせ信号が受信されなかったときには、制御手段ＦＡ１が故障、あるいは制御手段ＦＡ２（通信部ＦＡ２２）と伝送手段ＦＡ１（伝送通信部ＦＡ１３）との間の通信が途絶えてると判別する。そうすると、伝送手段ＦＡ１は、伝送記憶部ＦＡ１４に格納されたデータベースに従って、系統１の信号線ＳＧに接続されている全ての地区ベルＢ１１１〜Ｂ１１４を連動ゾーンに関係なく鳴動させる制御信号を地区ベル用中継器Ｂ１１に送信する。地区ベル用中継器Ｂ１１は、その制御信号が入力されたときに、全ての地区ベルＢ１１１〜Ｂ１１４を鳴動させ、在館者に火災が発生したことを報知する。
【００２９】
以上のように実施の形態によれば、伝送手段ＦＡ１が各端末機器から収集した状態情報に火災情報の存在を確認しているときに、制御手段ＦＡ２からの問い合わせ信号が所定時間経過しても受信されなかった場合、伝送手段ＦＡ１自ら全ての地区ベルＢ１１１〜Ｂ１１４を鳴動させるようにしているので、制御部ＦＡ２１の故障や、通信部ＦＡ２２と伝送通信部ＦＡ１３との間の通信の不具合で、火災の発生を在館者に報知できなかったということがなくなり、安全性が向上する。
【００３０】
また、火災受信機ＦＡに電源が投入されたときに、制御部ＦＡ２１が、記憶部ＦＡ２３に格納された系統毎のデータベースをそれぞれ伝送記憶部ＦＡ１４に転送して格納するようにしているので、データベースの設定データを変更する際に、記憶部ＦＡ２３に格納されたデータベースのみを変更すれば良く、そのため、記憶部ＦＡ２３の他に伝送記憶部ＦＡ１４に格納されているデータベースを変更する必要がなくなり、誤ってデータを入力するということがなくなる。
【００３１】
なお、実施の形態では、火災情報の存在を確認しているときに、所定時間が経過しても問い合わせ信号が受信されなかったとき、系統１の信号線ＳＧに接続されている全ての地区ベルＢ１１１〜Ｂ１１４を連動ゾーンに関係なく鳴動させるようにしたが、これに限定されるものではない。例えば、３つの系統の何れかの伝送記憶部ＦＡ１４が火災情報の存在を確認しているときに、第２の設定時間が経過しても問い合わせ信号が受信されなかったとき、他の系統の伝送記憶部ＦＡ１４に地区ベルＢ１１１〜Ｂ１１４を鳴動させる命令を出すようにしても良い。
【００３２】
また、実施の形態では、火災情報の存在を確認しているときに、問い合わせ信号が受信されなかったとき、系統１の信号線ＳＧに接続されている全ての地区ベルＢ１１１〜Ｂ１１４を連動ゾーンに関係なく鳴動させるようにしたが、これに限定されるものではない。例えば、光電式アナログ感知器ＳＥ１１が火災情報を発した場合、図３に示す伝送記憶部ＦＡ１４のデータベースを参照して、その光電式アナログ感知器ＳＥ１１に設定された連動ゾーン（Ｚ００１）と同一の連動ゾーンが設定された地区ベルＢ１１１、Ｂ１１２を鳴動させるようにしても良い。
【００３３】
また、実施の形態では、火災受信機ＦＡに電源が投入されたときに、制御部ＦＡ２１が、記憶部ＦＡ２３に格納された系統毎のデータベースをそれぞれ伝送記憶部ＦＡ１４に転送して格納するようにしたが、これに限定されるものではない。例えば、表示操作部ＦＡ３にデータ転送用のスイッチを設け、そのスイッチが操作されたときに制御部ＦＡ２１が前述の動作を行うようにしても良い。
【符号の説明】
【００３４】
ＦＡ  火災受信機、ＦＡ１  伝送手段、ＦＡ１１  伝送制御部、ＦＡ１２  端末機器通信部、ＦＡ１３  伝送通信部、ＦＡ１４  伝送記憶部、ＦＡ２  制御手段、ＦＡ２１  制御部、ＦＡ２２  通信部、ＦＡ２３  記憶部、ＦＡ３  表示操作部、ＦＡ４  インターフェース部、ＳＧ  信号線、ＳＥ１１  光電式アナログ感知器、ＳＥ１２  熱アナログ感知器、ＳＥ１３  アドレッサブル発信機、Ｂ１１  地区ベル用中継器、Ｂ１１１〜Ｂ１１４  地区ベル、Ｄ１１  防排煙制御用中継器、Ｄ１１１  防火戸、Ｄ１１２  排煙機、Ｄ１１３  シャッタ、Ｄ１１４  たれ壁、１００  データベース作成装置。
【図１】
2014016681.tif 000003
【図２】
2014016681.tif 000004
【図３】
2014016681.tif 000005